(57)【要約】【課題】使用済みトナー収納容器の運搬コスト等を大幅に低減でき、しかも移送したトナーの品質特性を維持できる画像形成装置および該装置に用いるトナー収納容器を提供することである。【解決手段】トナー収納容器２０が、変形可能な材料で形成されたトナー袋２２およびトナーの排出部が設けられた口金部材を備えた密閉状の容器であり、トナー収納容器２０に収納されたトナーを吸引して現像装置１０へ移送する粉体ポンプ４０を具備する。これにより、トナー収納容器が減容されて運搬コスト等を大幅に低減できる。【選択図】図６
2006119668.tif 000002
【特許請求の範囲】
【請求項１】
像担持体に形成された潜像をトナーにより現像する現像装置と、該現像装置へトナー収納容器に収納したトナーを補給するトナー補給装置とを有する画像形成装置において、
前記トナー収納容器が、変形可能で、かつ、トナー排出部が設けられた密閉状の容器であり、前記トナー補給手段は該トナー収納容器に収納されたトナーを吸引するトナー吸引手段を具備し、該トナー吸引手段の吸引圧により前記トナー収納容器がその壁面が動かされて減容されることを特徴とする画像形成装置。
【請求項２】
請求項１に記載の画像形成装置において、前記トナー吸引手段が吸引型の１軸偏芯スクリューポンプであることを特徴とする画像形成装置。
【請求項３】
請求項１または２に記載の画像形成装置において、前記トナー収納容器は、前記トナー吸引手段の吸引圧により変形される材質のものによって作られた構造を有することを特徴とする画像形成装置。
【請求項４】
請求項１または２に記載の画像形成装置において、前記トナー収納容器は、予め前記トナー吸引手段の吸引圧により変形される変形癖が付けられた構造を有することを特徴とする画像形成装置。
【請求項５】
像担持体に形成された潜像をトナーにより現像する現像装置と、該現像装置へトナーを補給するトナー補給装置とを有する画像形成装置に用いるトナー収納容器において、
トナーを収納する容器本体を有し、前記トナー補給手段が、該容器本体に収納されたトナーを吸引するトナー吸引手段を具備し、前記容器本体が該トナー吸引手段の吸引圧で変形可能な密閉状の容器であることを特徴とするトナー収納容器。
【請求項６】
請求項５に記載のトナー収納容器において、前記容器本体が前記トナー吸引手段の変形するような材質のものにより作られていることを特徴とするトナー収納容器。
【請求項７】
請求項５または６に記載のトナー収納容器において、前記容器本体が、当該容器本体よりも剛性の大きい保護ケースに収納されていることを特徴とするトナー収納容器。
【請求項８】
請求項５に記載のトナー収納容器において、前記容器本体が前記トナー吸引手段の吸引圧で変形するような変形癖が付けられていることを特徴とするトナー収納容器。
【請求項９】
請求項８に記載のトナー収納容器において、前記容器本体の変形癖が前記トナー吸引手段の吸引圧で折れる折れ癖であることを特徴とするトナー収納容器。
【請求項１０】
請求項９に記載のトナー収納容器において、前記折れ癖により前記容器本体の対向する側面が互いに近づく方向の折れることを特徴とするトナー収納容器。
【発明の詳細な説明】
【技術分野】
【０００１】
本発明は、像担持体に形成された潜像をトナーにより現像する現像装置と、該現像装置へトナー収納容器に収納したトナーを補給するトナー補給装置を有する、電子写真方式のプリンタ、ファクシミリ、複写機等の画像形成装置および該装置に用いるトナー収納容器に関するものである。
【背景技術】
【０００２】
従来の画像形成装置において、トナーボトルやトナーカートリッジ等のトナーを収納するトナー収納容器を画像形成装置本体にセットし、その容器から現像部へトナーを補給するものが良く知られている。この種のトナー収納容器は、カートリッジ、ボトルといったハードボトルで作られているために、トナー収納容器の交換に伴う使用済み容器のリサイクルに大きな課題を生じていた。すなわち、使用済みのトナー収納容器はユーザー先からメーカーに引き取り、再生・再利用や焼却処理が行われるが、トナー収納容器は容量がかさみ、ユーザー先からメーカーへ回収・運搬物流コストが高額を要していた。
【０００３】
さらに、回収されたトナー収納容器にトナーを再充填し、容器の再使用をはかる場合、回収容器の洗浄作業も困難で、かつトナー充填効率にも難がありトナー収納容器の再使用化に要するコストも高額となっていた。従来においても、トナー収納容器の容積が減容可能となるものの提案がある。
【０００４】
しかしながら、減容可能な容器からのトナー排出が非常に不安定でかつ、排出されたトナー移送にも制約が多く、トナー補給装置としてトナー補給性能の安定・維持やトナー収納容器の交換時にトナー汚染を生じる、トナー補給装置の設置位置の制約等に問題が生じ実用化に至ってない。
【０００５】
また、従来のトナー移送技術では、機械的オーガ手段に基づいているので、トナー補給装置及びトナー収納容器は現像装置と一体的、または非常に近接した位置に設置せざるをえなかった。このためにトナー補給装置の構成が複雑となりコスト高、低生産性、機械メンテナンス性を阻害し、トナー品質特性の保護・維持の確保も大変で、なおかつ、ユーザーによりトナー収納容器の交換作業の操作性にも難があった。
【発明の開示】
【発明が解決しようとする課題】
【０００６】
本発明は、上記した従来の問題を解消し、使用済みトナー収納容器の運搬コスト等を大幅に低減でき、しかも移送したトナーの品質特性を維持できる画像形成装置および該装置に用いるトナー収納容器を提供することを目的としている。
【課題を解決するための手段】
【０００７】
上記の目的を達成するため、本発明は、像担持体に形成された潜像をトナーにより現像する現像装置と、該現像装置へトナー収納容器に収納したトナーを補給する画像形成装置において、前記トナー収納容器が、変形可能な材料で形成された袋状体およびトナーの排出部が設けられた排出部材を備えた密閉状の容器であり、該トナー収納容器に収納されたトナーを吸引して前記現像装置へ移送するトナー移送手段を具備することを特徴としている。
【０００８】
なお、本発明は、前記トナー移送手段が吸引型の１軸偏芯スクリューポンプであると、効果的である。
また、上記の目的を達成するため、本発明は、請求項１または２に記載の画像形成装置に用いるトナー収納容器において、前記トナー収納容器の前記袋状体が前記吸引型１軸偏芯スクリューポンプの吸引圧で変形するように、当該袋状体の材質が選定されていることを特徴としている。
【０００９】
なお、本発明のトナー収納容器は、着脱可能な保護ケースに収容されていると、効果的である。
さらにまた、上記の目的を達成するため、本発明は、請求項１または２に記載の画像形成装置に用いるトナー収納容器において、前記トナー収納容器の前記袋状体が前記吸引型１軸偏芯スクリューポンプの吸引圧で変形するように、変形癖が付けられた構造を有することを特徴としている。
【００１０】
さらに、本発明のトナー収納容器は、前記袋状体に、該袋状体よりも剛性の大きい部材が取り付けられていると、効果的である。
【発明の効果】
【００１１】
請求項１および２の構成の画像形成装置によれば、トナー収納容器内のトナーを補給し終えると、容器を自動的に減容でき、しかもトナー収納容器の残トナーも少量にすることができる。
【００１２】
請求項３または４の構成の画像形成装置によれば、上記したトナー収納容器を自動的に減容を確実に行うことができ、ユーザー先からメーカーへ回収物流コストの大幅な低減ができる。
【００１３】
請求項５および６の構成のトナー収納容器によれば、トナー吸引手段の吸引圧により容器本体が確実に減容され、ユーザー先からメーカーへ回収物流コストの大幅な低減ができる。
【００１４】
請求項７の構成のトナー収納容器によれば、減容可能な容器本体でもそのセット時の操作性や保管性が向上する。
請求項８ないし１０の構成のトナー収納容器によれば、容器本体の規則性をもった確実な減容が得られる。
【発明を実施するための最良の形態】
【００１５】
以下、本発明の実施の形態を添付図面に従って説明する。
図１は、本発明に係る画像形成装置の一例であるカラーレーザプリンタを示す概略図である。このカラーレーザプリンタは、装置本体１の下部に給紙部２が配置され、その上方に作像部３を配置した構成となっている。作像部３には、給紙側を下で、排紙側を上となるように傾斜して配置された転写ベルト装置が設けられている。転写ベルト装置は、複数のベルト車１１、本例では４個のベルト車１１に巻き掛けられたエンドレスの転写ベルト１２を有し、該転写ベルト１２の上部走行辺には、下から順にマゼンタ（Ｍ）、シアン（Ｃ）、イエロー（Ｙ）、黒（Ｂｋ）用の４つの作像ユニット４Ｍ，４Ｃ，４Ｙ，４Ｂｋが並列配置されている。
【００１６】
図１および図２において、各作像ユニット４Ｍ，４Ｃ，４Ｙ，４Ｂｋは、像担持体としての感光体ドラム５が設けられ、該感光体ドラム５は図示していない駆動手段によって時計方向へ回転駆動される。感光体ドラム５の回りには、帯電手段としての帯電ロール６、光書込み装置８によってレーザ光による書込みが行われる光書込み部、現像手段として現像装置１０、クリーニング手段としてクリーニング装置９が設けられている。現像装置１０は、トナーとキャリアからなる２成分現像装置であって、消費されたトナー量に応じた後述するトナー補給装置によりトナーが補給される。
【００１７】
次に、図１に示すカラープリンタのフルカラープリントを行う作像動作についてマゼンタ用の作像ユニット４Ｍにより説明する。
帯電ロール６によって帯電された感光体ドラム５には、図示していないＬＤ（レーザダイオード）を駆動してレーザ光をポリゴンミラー８ａに照射し、シリンダーレンズ等を介して反射光を感光体ドラム５上に導く光書込み装置８により、マゼンタトナーで現像する光像の光書込みが行われる。この書込みにより感光体ドラム５上にはパソコン等のホストマシーンより送られた画像データに基づいた静電潜像が形成され、該潜像は現像装置１０によってマゼンタトナーの可視像となる。
【００１８】
一方、給紙部２からは転写材として指定された用紙が給紙され、給紙された用紙は転写ベルト１２の搬送方向上流側に設けられたレジストローラ１３に一旦突き当てられる。そして、用紙は上記可視像に同期するようにして転写ベルト１２上に給送され、該ベルトの走行により感光体ドラム５に対向する転写位置に到る。この転写位置では、転写ベルト１２の裏面側に配置された転写ロール１４の作用によりマゼンタトナーの可視像が用紙に転写される。
【００１９】
上記作像動作に同様にして、他の作像ユニット４Ｃ，４Ｙ，４Ｂｋにおいてもそれぞれの感光体ドラム５の表面に各トナーによる可視像が形成され、これら可視像は転写ベルト１２によって搬送される用紙が各転写位置に到来するごとに重ね転写される。したがって、本カラープリンタはフルカラーの画像がモノクロとほぼ同様な短時間で用紙に重ね転写される。転写後の用紙は、転写ベルト２０から分離されて、定着装置１５により定着される。定着を終えた用紙は、通常、そのまま機外に排紙されるか、このとき用紙は反転されて装置本体１の上面に設けられた排紙トレイ１６に裏面排紙される。プリンタにとって裏面排紙は、プリントをページ順に並べるためのほぼ必須の条件となっている。
【００２０】
次に、上記プリンタに設けられているトナー補給装置について説明する。
図２において、現像装置１０には、トナー収納容器２０からトナー吸引手段としての粉体ポンプ４０の吸引圧によってトナーが移送チューブ４１を通って補給される。この現像装置１０には、図２ないし図４に示すように、感光体５に対向配置された現像スリーブ１７と、第１攪拌スクリュー１８、第２攪拌スクリュー１９とが備えられている。現像装置１０内での現像剤は、第１攪拌スクリュー１８によって図４の左から右へ搬送され、第２攪拌スクリュー１９によって右から左へ搬送されるようにして循環される。この循環の間に搬送路の途中で現像スリーブ１７に移送された現像剤により感光体５上に形成された静電潜像を現像する。なお、符号１０ａはトナー濃度センサである。
【００２１】
この現像装置１０には、その上部に粉体ポンプ４０が設けられ、該紛体ポンプ４０としては吸い込み型の一軸偏芯紛体ポンプ４０が用いられている。この紛体ポンプ４０の構成は、金属などの剛性をもつ材料で偏芯したスクリュー形状に作られたロータ４２と、ゴム等の弾性体で内側に２条スクリュー形状に作られ固定されて設置されるステータ４３と、これらを包みかつ粉体の搬送路を形成する樹脂材料等から作られたホルダ４４とを有している。そして、本実施形態では第１攪拌スクリュー１８と一体連結され、図示していない駆動装置に駆動連結された歯車１０ｇと、上記ロータ４２とピン継ぎ手により連結された駆動軸４３ａに一体連結された歯車４５とが噛み合っているとともに、歯車４５には歯車１０ｇによる回転駆動を断続する断続手段としての電磁クラッチ４６を介在させている。
【００２２】
ところで、第１および第２攪拌スクリュー１８，１９は画像形成時に常時回転駆動させているものであり、したがって紛体ポンプ４０と第１攪拌スクリュー１８とを一体連結して駆動すると、第１攪拌スクリュー１８の駆動時にトナーが補給されてしまい、現像剤の濃度制御に基づいてトナー補給を行う現像装置に適用できなくなる。
【００２３】
そこで、紛体ポンプ４０への駆動伝達を電磁クラッチ４６で制御することで、現像装置１０内の現像剤濃度を一定に保つように制御する方式の現像装置に適用させることができる。本例の場合、現像装置１０には透磁率検出器１０ａが設けられており、該検出器１０ａにより現像装置１０内のトナーとキャリアの混合比の変化を検知し、その際トナーが少ないと検知されると、電磁クラッチ４６がオンし、紛体ポンプ４０を作動してトナーを補給する。そして、現像装置１０内の現像剤の濃度が所定濃度に達すると、電磁クラッチ４６がオフし、第１攪拌スクリュー１８が回転駆動されていても紛体ポンプ４０は作動せず、トナー補給はされない。なお、現像装置１０は感光体上に形成したトナー像の反射濃度を検知してトナー補給量を制御する等の適宜の方法を採用することもできる。
【００２４】
この紛体ポンプ４０は、ロータ４２の回転により強い自吸力が生じ、トナー収納容器２０からトナーを吸い込むことができる。吸い込まれたトナーは、紛体ポンプ４０と第１攪拌スクリュー１８との間に形成された供給孔１０ｂにより現像装置１０内に移送され、そして２成分現像方式を用いている場合にはこの移送工程中に補給されたトナーが現像装置１０内の現像剤と攪拌混合され、均一な剤濃度と適正な帯電量になる。なお、現像装置には脱気孔１０ｃとその脱気孔１０ｃを覆うフィルタ１０ｄが設けられ、空気のみを現像装置１０から脱気し、現像時に発生する装置の昇圧を抑え、トナー補給の安定化と現像装置からのトナー飛散を防止するように構成している。紛体ポンプ４０の吸い込み部に接続したチューブ４１は、例えば直径４〜１０ｍｍのフレキシブルなチューブで、耐トナー性に優れたゴム材料（例えば、ポリウレタン、ニトリル、ＥＰＤＭ、シリコン等）から作られているものを用いることがきわめて有効である。
【００２５】
図６は、トナー補給機構の主要部を示す断面説明図であって、符号５０は画像形成装置本体に設けられたトナー収納容器２０がセットされるセット部である。このセット部５０には、ほぼ真上方向に延在するトナー収納容器２０内に入り込む挿入部材としてのノズル５１が一体または脱着可能であるが位置固定に設けられている。ノズル５１は、円筒状に形成されているとともに、上部に設けられた尖端部５２に続いてトナー受け入れ口５３が設けられ、トナー受け入れ口５３は軸芯部に設けられ、先端において上記チューブ４１が接続されたトナー排出路５４に続いている。
【００２６】
トナー収納容器２０は、図６および図７の（ａ），（ｂ），（ｃ）に示すように、保護ケースとしての外箱２１と、その外箱２１内に着脱可能に収容されたフレキシブルで変形可能な容器本体としてのトナー袋２２とを有するバックインボックスタイプに構成されている。この外箱２１は、剛性を有する紙、段ボール、樹脂等の材料から作られ、トナー袋２２が収まる程度の内部空間を有している。
【００２７】
また、トナー袋２２は下部中央に排出部材としての口金部材２３が一体または固着により設けられている。このトナー袋２２は、ポリエチレンやナイロン等の樹脂製または紙製のシート状（８０〜１２５μｍ程度の厚み）のフレキシブルなシート材を単層または複層構成にして折り紙製作のように作られた空気の流入出が無い密閉された袋状容器形状のものである。
【００２８】
このトナー袋２２は、トナーが排出され易くするため、上下方向の適宜中間部より底部の口金部材２３に向かって絞り込まれた形状に形成されている。そして、この絞り込まれた部分に折れが生ずると、多量のトナーが残留する。このため、トナー袋２２の傾斜した部分には図６（ｃ）に明示する高剛性を有するシート状補強部材２４が口金部材２３の上部の位置に接着などにより取り付けられている。このシート状補強部材２４は、トナー袋２２と同一材料で厚みを増したものや、外箱２１と同じ材質ものを使用することがリサイクル上有利である。また、これらシート材の表面にＡｌ蒸着処理を施すことは静電気対策や防湿対策に有効である。
【００２９】
上記口金部材２３は、図６に示すように、本体ケース２５とシール部材２６とからなり、この本体ケース２５はポリエチレンやナイロン等の樹脂製であって、そのほぼ中央に形成された開口に向かって漏斗状の形状をなしている。開口は、トナーを排出するためのものであり、シール部材２６はこの開口に嵌合装着されている。なお、本体ケース２５はトナー袋２２のシート材と同一材料もしくは同一系統の材料を使用することがリサイクルの観点で望ましい。
【００３０】
シール部材２６は、発泡スポンジ等の弾性体で作られ、その中央には十字の貫通したスリット（図示せず）が形成され、そのスリットにノズル５１が差し込まれると押し広げられる。また、トナー収納容器２０のセット部５０から離脱によりノズル５１が抜けると、押し広げられたスリットは元の状態に復元し、トナー袋２２を密閉する自閉弁の役割をはたしている。
【００３１】
また、外箱２１は剛性を有するので、トナー収納容器２０における画像形成装置のセット部への装填・離脱時の操作性を容易にするとともに、トナー収納容器２０内のトナー袋２２の損傷防止やトナー品質特性の保護・維持にも有効である。
なお、本発明はブロー成形法などにより形成された口金部材２３とトナー袋２２が一体構造をなすフレキシブルなトナー収納容器を用いることも可能であり、且つ本発明の意図に反しないこともいうまでもない。
【００３２】
図７（ｂ）、（ｃ）は、トナー収納容器２０内にトナーが充満されている時の状態を示している。この状態の容器をセット部５０に装填し、トナー補給動作行うと、トナー収納容器２０内のトナーは、粉体ポンプ４０が発生する吸引圧とトナーの重力により図６の矢印の方向に移動し、ノズル５１の先端部に設けられたトナー受け入れ口５３よりトナー排出路５４、さらにチューブ４１を経て粉体ポンプ４０に移送される。そして、現像装置１０にトナーが補給され、この動作を繰り返す毎に、トナー収納容器２０内の内圧は次第に減圧される。
【００３３】
トナー収納容器２０は、そのトナー袋２２が、粉体ポンプ４０が発生する吸引圧よりも小さい圧力で変形する材質のものに選定されている、すなわちフレキシブルな袋であれば、トナー袋２２は粉体ポンプ４０による減圧作用に従い大気圧とのバランスを保つため、トナー袋２２はその体積を減じる。したがって、トナー袋２２はトナー補給に応じて減容される。
【００３４】
本発明のトナー収納容器２０では、トナー袋２２をフレキシブル材料で作り、かつその一部にシート状補強部材２４を具備した構成をなす。よって、トナー袋２２はトナー補給され続けるとその壁面が動かされるようにして減容してゆく。トナー収納容器の減圧作用に従いトナー袋２２は、図８に示すように、上部側から減容され、その減容が進むとシート状補強材２４は下部を支点としてその形を保ったまま容器の内側に移動する。
【００３５】
トナー収納容器２０のトナー袋２２内に収納されているトナーは、この減容作用とトナーの重力により一カ所に滞留することなく移動し、トナー補給時にトナーが排出されてできた袋内の空間を補填する。
【００３６】
袋内のトナーには、機械的な大きなストレスが加わらないのでトナー凝集も起こさず、且つ流動性の悪いトナーを使用してもトナー収納容器２０内で架橋現象の発生が防止され、トナー袋２２のトナー収納量の多少にかかわりなくトナー物性が常に安定した状態を維持でき、安定したトナー補給が可能となる。また、収納されているトナーはトナー袋２２内に残すことなく排出される。さらには、トナー収納容器２０のトナー袋２２はトナーがなくなった状態では、充満時と比べその容積が大幅に減容される。
【００３７】
シート状補強材２４は、上記したように、下部を支点としてその形を保ったまま容器の内側に移動するので、容器減容時に下部のトナー排出側の空間を維持し、トナー排出を妨げ無いのでより確実なトナー排出が得られる。トナー袋２２内のトナーは、吸引型粉体ポンプにより排出されるので、残留トナーがほとんど無く、経済的であり且つ使用後のトナー収納容器の処置が安全かつ衛生的に行える。しかも、トナー袋２２が減容されるとき、トナー袋２２の壁面が動かされるので、その壁面に付着していたトナーも下方のノズル５１近くに落とされ、残トナーの減少を確実なものとしている。
【００３８】
使用後のトナー収納容器２０は、外箱２１とトナー袋２２が容易に分解でき、外箱２１は折り畳んだり、ほぼ板状に展開することができ、また、トナー袋２２はフレキシブルであるので、従来のカートリッジ、ボトルといったハードボトルに比較し、容器がかさばらないので運搬や保管時での取扱性が良く、運搬や保管時の収納スペースをとらないという利点を持つ。さらにまた、使用済み外箱２１、トナー袋２２は、ユーザー先からメーカーに引き取り、再生・再利用や焼却処理が行われるが、本トナー収納容器２０のトナー袋２２は上記のごとく固い材料は口金部材２３だけなので非常に小さくでき、容器を任意に丸めたり、折り畳むことができ、運搬や保管時での取扱性が良く、運搬や保管時の収納スペースをとらない（かさばらない）という利点が更に増長し、ユーザー先からメーカーへ回収物流コストの大幅な低減が可能となる。
【００３９】
図９は、本発明の他の実施形態を示すトナー補給装置の構成図、図１０は図９の現像装置の側面図であり、上記した実施形態と同一部材には同一符号を付している。
【００４０】
図９および図１０において、感光体５に形成された潜像を現像する現像装置１０には、トナー収納容器２０から粉体ポンプ４０の吸引力によりトナー移送チューブ４１を介してトナー供給される。現像装置１０の内部には、現像スリーブ１７、攪拌スクリュー１８，１９を備えている。現像装置１０内では、現像剤が攪拌スクリュー１９により手前側から奥側に搬送され、攪拌スクリュー１８により奥側から手前側に再搬送される。この搬送路の途中で現像スリーブ１７に移送された現像剤により感光体５上の静電潜像を現像する。
【００４１】
現像装置１０の手前側端部には、攪拌スクリュー１９と対応する位置にトナー受け入れ部１０ｅ、これと連通する接続部材１０ｆを持ち、接続部材１０ｆはトナー移送チューブ４１が連結されている。さらに、接続部材１０ｆには空気フィルタ１０ｄが設けられ、移送されてきたトナーと空気のうち空気のみを現像装置１０から脱気し、トナー補給時の接続部材１０ｆ及び現像装置１０からのトナー飛散を防止している。なお、図９，１０では、現像装置１０の片端部からトナー補給を行う例を示したが、トナーを補給する位置は特に制約を受けないので任意である。
【００４２】
図１１は、トナー補給装置の主要部を示す中央断面図、図１２は（ａ）がトナー収納容器２０の一部切り欠いた断面側面図、（ｂ）がその底面図であり、図１３は図１１に示すトナー補給装置の一方の側面図、図１４は図１１に示すトナー補給装置の他方の側面図である。
【００４３】
図１１において、セット部５０は樹脂等で作られ、トナー収納容器２０を保持し、このトナー収納部材２０内のトナーを排出して現像装置１０に移送するための、各種部材が組み込まれている。ノズル５１は、樹脂等で作られ、軸芯部にトナー排出路５４を有し、セット部５０に一体または脱着可能に固定配置されている。
【００４４】
セット部５０には、空気供給手段としてのエアーポンプ３０と粉体ポンプ４０が設けられ、エアーポンプ３０は空気移送パイプ３１を介して紛体ポンプ４０の保持部材４７の一部に設けられた空気導入口４８と連結している。
【００４５】
紛体ポンプ４０で、吸引型の１軸偏芯スクリューポンプを用いており、その構成は図２、図５に示すものと実質同一であり、その詳しい説明を省略する。この紛体ポンプ４０もローター４２の回転により、自吸作用が働きホルダ４４のトナー受け部側からポンプ保持部材４７のトナー吐出孔４９の方向にトナーを移送する。移送されたトナーは、エアーポンプ３０からのエアーとともにトナー移送チューブ４１の中を通過し現像装置１０に送られる。ローター４２は、歯車装置４５を介して駆動モータ４６の回転駆動を受ける。
【００４６】
トナー収納容器２０は、側面がほぼ三角形状に形成されたトナー袋２２と、その一端部に設けられた口金部材２３を有している。トナー袋２２は、密閉構造をなし、ポリエチレンやナイロン等の樹脂製又は紙製の８０〜２００μｍ程度の厚みを持ったフレキシブルなシートを単層または複層構成にして作られている。また、これらシートの表面にＡｌ蒸着処理を施すことは静電気対策や防湿対策に有効である。
【００４７】
口金部材２３は、上記実施形態と同様に本体ケース２５とシール部材２６からなり、シール部材２６には図４に示すように、その中央部は十字状の貫通した微少幅スリット２７が形成されている。
【００４８】
図１５は、本発明に係るトナー収納容器の変形例を示し、（ａ）がトナー収納容器２０の一部切り欠いた断面側面図、（ｂ）がその底面図である。
図１５において、トナー収納容器２０のトナー袋２２は、ポリエチレン製の１００μｍの厚みを持ったフレキシブルなシートを折り紙製作のように作られた空気の流入出が無い密閉された容器である。トナー袋２２には、図１６に示すように、上面およびその短方向の両側面の、計３つの面において、中央部に中側に入り込むような折り目２８が付けられている。この折り目２８は、トナー袋２２に折り癖を与えている。なお、口金部材２３にはその下部に、トナー排出孔に向かう漏斗形状が形成されている。また、トナー袋２２の三角形状に形成された側面には、ポリエチレン製の１ｍｍの厚みを持ったシート状補強材２９が接着されている。
【００４９】
図１６に示したトナー収納容器２０は、トナーが充満されているときであり、この状態の容器をセット部５０にセットしてトナー補給動作行うと、トナー収納容器２０内のトナーは、粉体ポンプ４０が発生する吸引圧とトナーの重力により、ノズル５１の尖端部５２に設けられたトナー受け入れ口５３からトナー排出路５４を通り、現像装置１０に移送される。この動作を繰り返す毎に、トナー収納容器２０内の内圧は次第に減圧される。
トナー収納容器２０は、粉体ポンプ４０が発生する吸引圧よりも小さい圧力で変形するような折り目２８を有する構造にて作られているので、トナー収納容器２０は減圧作用に従い大気圧とのバランスを保つためトナー収納容器２０はその体積を減じる。
【００５０】
上記トナー収納容器２０は、トナー袋２２をフレキシブル材料で作り、かつ、その一部に非フレキシブルの部材である口金部材２３とシート状補強材２９を具備し、さらにフレキシブル部分のトナー袋２２にはシート状補強材２９を貼った側面が互いに近づく方向である、内側に移動させやすくするための折り目２８が設けられている。したがって、トナー収納容器２０は図１７に示すように、上記減圧作用に従いトナー袋２２が折り目２８そって折れて減容され、シート状補強材２９は下部を支点としてその形を保ったまま容器の内側に移動する。
【００５１】
トナー収納容器２０に収納されているトナーは、この減容作用とトナーの重力により一カ所に滞留することなく移動し、トナー補給時にトナーが排出されてできたトナー収納容器内の空間を補填する。
【００５２】
さらに、トナー収納容器２０内のトナーには、機械的な大きなストレスが加わらないのでトナー凝集も起こさず、かつ、流動性の悪いトナーを使用してもトナー収納容器２０内で架橋現象の発生が防止され、トナー収納量の多少にかかわりなくトナー物性が常に安定した状態を維持でき、安定したトナー補給が可能となる。また、収納されているトナーはトナー収容容器２０内に残すことなく排出される。さらには、トナー収納容器はトナーがなくなった状態では、充満時と比べその容積が大幅に減容される。
【００５３】
シート状補強材２９は、上述のように、下部を支点としてその形を保ったまま容器の内側に移動するので、容器減容時に下部のトナー排出側の空間を維持し、トナー排出を妨げ無いのでより確実なトナー排出が得られる。また、シート状補強材２９は剛性を有するので、トナー収納容器２０のセット部５０への装填・離脱時にその操作性を容易にしている
【００５４】
本トナー補給装置の駆動、制御は、未図示の電源コンセント、電源と未図示のスイッチ、制御回路により空気供給手段（エアーポンプ）、粉体ポンプの駆動・制御を行う。これらは、従来周知の技術を用いればよい。
【００５５】
トナー補給の制御は、従来公知の現像装置の一部に設けられた透磁率検出器に基づくトナーとキャリアの混合比の変化を検知しトナー補給量を制御する方法（現像剤濃度検知・制御）や感光体上のトナー像の反射濃度を検知しトナー補給量を制御する方法等の従来周知の技術を転用すればよい。
【００５６】
１軸偏芯スクリューポンプは高い固気比で連続定量移送が可能、ロータの回転数に比例した正確なトナーの移送量が得られることが知られている。従ってトナーの移送量（＝トナー補給量）の制御は粉体ポンプの駆動時間を制御すれば良い。粉体ポンプの自吸力（吸引力。トナーを吸う力）は粉体ポンプのローター、ステータ形状やローター回転数に依存する。また移送部材の移送経路は自在で高位置や、上下左右の任意方向へ自由に移送できる。
【００５７】
トナー移送の信頼性の確保のためには粉体ポンプの駆動とエアーの供給（図のエアーポンプ３０によるエアー供給）のタイミングが重要で、エアーの供給は粉体ポンプの駆動より以前から駆動中（駆動停止以降のエアー供給すればさらによい）にかけて行うことが肝要である。これにより、トナー移送チューブ１５内でのトナーの残留が防止され、トナーの安定移送がはかれる。
【００５８】
エアーの供給量は最大流量（無負荷時）１〜２.０Ｌ／Ｍｉｎと非常に少ないものでよく、現像装置などでの空気抜きも簡単に行えトナー飛散などの発生が容易に防止できる。
【００５９】
トナー容器内へのエアー供給は常時供給する必要は無く、画像形成装置本体への電源投入時やトナー容器交換時又は一定枚数コピー／プリント時、等に行えばよい。使用するトナーの種類（特性）トナー容器の容量により最適な供給タイミング、供給量を設定れば良い。
【００６０】
通常、電子写真画像形成装置に用いているトナー(乾式トナー)は、流動性が非常に悪くその移送が困難である事が知られている。
本来、トナーを移送させるときは、トナーに大きな機械的ストレスを与えることは望ましい事ではない。異常なストレスがトナーに加わるとトナーのブロッキング（熱融着などによる凝集）、破砕、等々が生じトナー特性の変質や移送不能となるばかりでなく、移送部材（コイル、スクリュー、パイプ等）、駆動部材の破損等を生じさせる。従って、トナー移送を行う場合は、極力、異常な機械的ストレスがトナーに加わらない工夫が重要となる。
【００６１】
従来のトナー補給装置では、前述のようにスクリューとパイプにより移送しているために、スクリューによる機械的ストレス、スクリューとパイプとの間で発生する摩擦による機械的ストレスが非常に大きくならざるをえなかった。これは移送距離が長くなるほど、移送方向を変位させるほど、より悪化する。また、スクリューを駆動するための必要トルクも非常に大きくなり駆動部材のコストアップ、消費電力の増大も無視できない。
【００６２】
これらの理由により、移送距離を長くしたいときや移送方向を変位させたいときには、複数のスクリューとパイプを用いて連結させる多段移送をおこなわざるをえなかった。これは更なるトナー特性の変質、部品点数の増大、コストの増大、信頼性の低下、装置メンテナンス性及び生産性の低下、トナー補給装置の設置容積の増大化、操作性の低下をもたらしていた。
【００６３】
本発明のトナー容器は、トナー収納部材側に簡易な自閉弁を具備するだけで良いので、トナー容器の構成が簡易であり、かつトナー容器には、自閉弁が設けられているので、トナー容器交換が簡単に行え、交換時のトナー飛散、汚染などが防止できる。
【００６４】
トナー容器内のトナーは吸引型粉体ポンプにより排出されるので、残留トナーがほとんど無く、経済的であり且つ使用後のトナー容器の処置が安全かつ衛生的に行える。
【００６５】
トナー袋２２は、フレキシブルであるので、従来のカートリッジ、ボトルといったハードボトルに比較し、容器がかさばらないので運搬や保管時での取扱性が良く、運搬や保管時の収納スペースをとらない（かさばらない）という利点を持つ。また更には使用済みトナー収納（補給）容器は、ユーザー先からメーカーに引き取り、再生・再利用や焼却処理が行われるが、本トナー収納（補給）容器は前述のごとく固い口金部が自閉弁だけなので非常に小さくでき、容器を任意に丸めたり、折り畳むことができ、運搬や保管時での取扱性が良く、運搬や保管時の収納スペースをとらない（かさばらない）という利点が更に増長し、ユーザー先からメーカーへ回収物流コストの大幅な低減が可能となる。
【００６６】
トナー補給装置は画像形成装置の現像装置に対して、フレキシブルなトナー移送パイプのみを接続するだけでよく、トナーの飛散がないので粉塵問題の発生も無く安全である。かつ現像装置に対するトナー補給装置の設置位置・場所の制約を持たないので、ユーザーのトナー収納（補給）容器の交換時の操作性が最もやり易い場所にトナー補給装置を設ける事が可能となる。
【００６７】
本トナー補給装置は、吸引型粉体ポンプを用いることで、高精度なトナー補給装置の提供が可能となった。さらには、トナー移送通路中に開閉弁なども必要としないのでトナー詰まりもなく、安定したトナー移送性能が確保でき、かつ高耐久性が確保できる。
【００６８】
また、トナーはトナー移送チューブ１５中をエアーとの混合気状態で移送されるので、トナーへの機械的ストレスはほとんどかからない。さらに、移送部材での駆動負荷も無い。これらから、トナー特性の維持、トナー移送の確実化がはかれ、トナー補給装置の信頼性、耐久性の確保も充分はかれる。さらには、トナー補給装置の構成の簡易化がはかれ低駆動負荷化による低消費電力化、低コスト化も可能としている。
【００６９】
本トナー補給装置は画像形成装置の現像装置に対して、フレキシブルなトナー移送パイプのみを接続するだけでよく、トナーの飛散がないので粉塵問題の発生も無く安全である。かつ現像装置に対するトナー補給装置の設置位置・場所の制約を持たないので、ユーザーのトナー収納（補給）容器の交換時の操作性が最もやり易い場所にトナー補給装置を設ける事が可能となる。
【００７０】
なお、本発明は１成分現像装置に適用することができる。また、上記実施形態の挿入部材であるノズル５１は断面円形のものであるが、その形状は楕円、多角形等でもよく、但し多角形の場合、正多角形で、角に丸みを付けることが好ましい。
【図面の簡単な説明】
【００７１】
【図１】本発明に係る画像形成装置の一実施形態を示すカラーレーザプリンタの概略図である。
【図２】本発明の一実施形態を示すトナー補給部の概略図である。
【図３】図２に示す現像装置の端部の部分平面図である。
【図４】図２に示す現像装置の部分平面図である。
【図５】図２に示す現像装置の側面図である。
【図６】トナー補給機構の構成を示す断面説明図である。
【図７】本発明に係るトナー収納容器を示し、（ａ）は外観図、（ｂ）は外箱の一部を外した状態の説明図、（ｃ）はトナー袋の外観図である。
【図８】本発明に係るトナー収納容器の減容状態を示す説明図である。
【図９】本発明の他の実施形態を示すトナー補給部の概略図である。
【図１０】図９に示す現像装置の端部の部分断面図である。
【図１１】トナー補給機構の構成を示す断面説明図である。
【図１２】本発明に係るトナー収納容器の他の実施形態を示し、（ａ）がトナー収納容器２０の一部切り欠いた断面側面図、（ｂ）がその底面図である。
【図１３】図１１に示すトナー補給機構の一側の側面図である。
【図１４】図１１に示すトナー補給機構の他側の側面図である。
【図１５】本発明に係るトナー収納容器のさらに他の実施形態を示し、（ａ）がトナー収納容器２０の一部切り欠いた断面側面図、（ｂ）がその底面図である。
【図１６】図１５に示すトナー収納容器が充填トナーを有する状態で、（ａ）は側面図、（ｂ）は正面図である。
【図１７】図１５に示すトナー収納容器が充填トナーをほぼ空の状態で、（ａ）は側面図、（ｂ）は正面図である。
【符号の説明】
【００７２】
５  像担持体
１０  現像装置
２０  トナー収納容器
２２  トナー袋
２３  口金部材
４０  粉体ポンプ
４１  トナー移送チューブ
５１  ノズル
【図１】
2006119668.tif 000003
【図２】
2006119668.tif 000004
【図３】
2006119668.tif 000005
【図４】
2006119668.tif 000006
【図５】
2006119668.tif 000007
【図６】
2006119668.tif 000008
【図７】
2006119668.tif 000009
【図８】
2006119668.tif 000010
【図９】
2006119668.tif 000011
【図１０】
2006119668.tif 000012
【図１１】
2006119668.tif 000013
【図１２】
2006119668.tif 000014
【図１３】
2006119668.tif 000015
【図１４】
2006119668.tif 000016
【図１５】
2006119668.tif 000017
【図１６】
2006119668.tif 000018
【図１７】
2006119668.tif 000019